(57)【特許請求の範囲】
【請求項１】
収容空間を有する鏡筒と、前記収容空間内に収容されたレンズ群とを備え、前記鏡筒は、光通過孔が開設された第１筒壁及び前記第１筒壁の外側から折り曲げられて延びる第２筒壁を含むレンズモジュールであって、前記第２筒壁の像側に近い端に固定される環状の支持部材をさらに備え、前記支持部材、前記第２筒壁及び前記第１筒壁は共に前記収容空間を取り囲んで形成し、前記第２筒壁は光軸に近い内側面を含み、前記支持部材は光軸に近い内面を含み、前記支持部材の内面と光軸との間の最小距離は前記第２筒壁の内側面と光軸との間の最大距離よりも大きく、前記支持部材に前記支持部材を貫通する貫通孔がさらに設けられ、前記第２筒壁の前記貫通孔に対応する箇所にボスが設けられ、前記ボスは前記貫通孔に嵌合固定されることを特徴するレンズモジュール。
【請求項２】
前記支持部材は、光軸から離れて前記内面に対向する外面を含み、前記貫通孔は前記内面及び前記外面を貫通するように設けられることを特徴とする請求項１に記載のレンズモジュール。
【請求項３】
前記第２筒壁は、光軸から離れる外側面をさらに含み、前記ボスは、前記外側面から、光軸から離れる方向に向かって延びて前記貫通孔に嵌合することを特徴とする請求項２に記載のレンズモジュール。
【請求項４】
前記第２筒壁は、物体側に近い第１部分と、前記第１部分の像側に近い端から光軸に近接する方向へ折り曲げられて延びる第２部分とを含み、前記ボスは、前記第２部分から、光軸から離れる方向に向かって延びることを特徴とする請求項３に記載のレンズモジュール。
【請求項５】
前記支持部材は、物体側に近く且つ前記第２筒壁に当接する第１支持部と、前記第１支持部から、光軸から離れる方向へ折り曲げられて延びる第２支持部とを含み、前記第２支持部の光軸に垂直な方向における厚さは前記第１支持部の光軸に垂直な方向における厚さよりも小さいことを特徴とする請求項４に記載のレンズモジュール。
【請求項６】
前記貫通孔は前記第１支持部を貫通するように設けられ、前記第２部分は前記ボスを介して前記第１支持部に固定接続されることを特徴とする請求項５に記載のレンズモジュール。
【請求項７】
前記貫通孔は複数が設けられ、複数の前記貫通孔は前記第２筒壁を等間隔で取り囲んで設置されることを特徴とする請求項１に記載のレンズモジュール。
【請求項８】
前記支持部材と前記第２筒壁は一体の構造に射出成形されることを特徴とする請求項１に記載のレンズモジュール。
【請求項９】
前記支持部材は金属又はプラスチックから製造されることを特徴とする請求項１に記載のレンズモジュール。
【請求項１０】
前記レンズ群を前記収容空間内に固定保持する押えリングをさらに備え、前記押えリングは前記第２筒壁の内側面に当接することを特徴とする請求項１に記載のレンズモジュール。
【発明の詳細な説明】
【技術分野】
【０００１】
本発明は、光学結像の技術分野に関し、特にレンズモジュールに関する。
【背景技術】
【０００２】
近年、科学技術の絶え間ない発展に伴い、電子機器は絶え間なくスマート化へ発展しつつある。何時でも写真を撮ることができるというユーザのニーズに応えるように、デジタルカメラの以外、タブレットＰＣ、携帯電話等の携帯型の電子機器にも撮影機能を有するレンズモジュールが配置されており、そして、自動車等の交通手段にも撮影機能を有するレンズモジュールが配置されている。
【０００３】
従来技術のレンズモジュールは、鏡筒と、鏡筒内に収容されたレンズ群とを含む。前記鏡筒が前記レンズ群を十分に支持且つ固定できるようにするために、一般的に、前記鏡筒の側壁は一定の厚さに達してこそ前記レンズ群を支持且つ固定する機能を果たすことができる。側壁が厚すぎる鏡筒について、図１に示されるように、鏡筒の内壁の光に対する反射作用により、結像の過程において、各角度から前記レンズ群に当てられた光は前記鏡筒内に迷光による干渉が発生し易く、特に前記鏡筒の側壁の像側に近い端は外部の光が鏡筒に入射した後に非常に反射し易い部位であるため、実際の撮影画像に明らかな迷光が発生し易く、レンズモジュールの結像品質を低下させてしまう。
【０００４】
従って、改良されたレンズモジュールを提供して上記の問題を解決する必要がある。
【発明の概要】
【発明が解決しようとする課題】
【０００５】
従来技術のレンズモジュールにおける鏡筒の内壁の光に対する反射作用によってレンズに迷光を発生させ易いため、レンズモジュールの結像品質を低下させてしまうという技術的課題に鑑みて、本発明には、迷光の発生を効果的に防止し且つ優れた確実性を有するレンズモジュールが提供される。
【課題を解決するための手段】
【０００６】
レンズモジュールは、収容空間を有する鏡筒と、前記収容空間内に収容されたレンズ群とを備え、前記鏡筒は、光通過孔が開設された第１筒壁及び前記第１筒壁の外側から折り曲げられて延びる第２筒壁を含み、前記レンズモジュールは、前記第２筒壁の像側に近い端に固定される環状の支持部材をさらに備え、前記支持部材、前記第２筒壁及び前記第１筒壁は共に前記収容空間を取り囲んで形成し、前記第２筒壁は光軸に近い内側面を含み、前記支持部材は光軸に近い内面を含み、前記支持部材の内面と光軸との間の最小距離は前記第２筒壁の内側面と光軸との間の最大距離よりも大きく、前記支持部材に前記支持部材を貫通する貫通孔がさらに設けられ、前記第２筒壁の前記貫通孔に対応する箇所にボスが設けられ、前記ボスは前記貫通孔に嵌合固定される。
【０００７】
好ましくは、前記支持部材は、光軸から離れて前記内面に対向する外面を含み、前記貫通孔は前記内面及び前記外面を貫通するように設けられる。
【０００８】
好ましくは、前記第２筒壁は、光軸から離れる外側面をさらに含み、前記ボスは、前記外側面から、光軸から離れる方向に向かって延びて前記貫通孔に嵌合する。
【０００９】
好ましくは、前記第２筒壁は、物体側に近い第１部分と、前記第１部分の像側に近い端から光軸に近接する方向へ折り曲げられて延びる第２部分とを含み、前記ボスは、前記第２部分から、光軸から離れる方向に向かって延びる。
【００１０】
好ましくは、前記支持部材は、物体側に近く且つ前記第２筒壁に当接する第１支持部と、第１支持部から、光軸から離れる方向へ折り曲げられて延びる第２支持部とを含み、前記第２支持部の光軸に垂直な方向における厚さは前記第１支持部の光軸に垂直な方向における厚さよりも小さい。
【００１１】
好ましくは、前記貫通孔は前記第１支持部を貫通するように設けられ、前記第２部分は前記ボスを介して前記第１支持部に固定接続される。
【００１２】
好ましくは、前記貫通孔は複数が設けられ、複数の前記貫通孔は前記第２筒壁を等間隔で取り囲んで設置される。
【００１３】
好ましくは、前記支持部材と前記第２筒壁は一体の構造に射出成形される。
【００１４】
好ましくは、前記支持部材は金属又はプラスチックから製造される。
【発明の効果】
【００１５】
従来技術と比べて、本発明に係るレンズモジュールにおいて、鏡筒の像側に近い端に環状の支持部材が設けられ、前記支持部材の内面と光軸との間の最小距離が第２筒壁の内側面と光軸との間の最大距離よりも大きいことによって、外部の光の前記支持部材への入射を効果的に低減させ、レンズ群の内部の迷光の発生により結像品質に影響を与えてしまうことを効果的に低減させ、結像品質を効果的に向上させる。なお、第２筒壁の第２部分にボス構造が設けられ、支持部材の第１支持部に第１支持部を貫通する貫通孔が設けられ、第２筒壁がボスを介して支持部材に嵌合固定され、且つ一体の構造に射出成形されることにより、鏡筒のレンズ群に対する良好な支持を確保し、確実性が優れている。
【図面の簡単な説明】
【００１６】
本発明の実施例における技術考案をより明確に説明するために、以下、実施例の記載に必要な図面を簡単に説明する。明らかに、以下に記載された図面は本発明の幾つかの実施例に過ぎず、当業者にとっては、発明的努力をしなくても、これらの図面に基づいて他の図面を得ることもでき、そのうち、
【図１】図１は、従来技術におけるレンズモジュールの断面図である。
【図２】図２は、本発明に提供されたレンズモジュールの断面図である。
【図３】図３は、図２に示すレンズモジュールの一部の分解模式図である。
【図４】図４は、図３に示すＡ部分の拡大図である。
【発明を実施するための形態】
【００１７】
以下、本発明の実施例における図面を参照しながら、本発明の実施例における技術考案を明確且つ完全に説明する。明らかに、記載された実施例は本発明の実施例の一部に過ぎず、全ての実施例ではない。本発明における実施例に基づいて、当業者であれば、発明的努力をせずに得られた他の全ての実施例はいずれも本発明の保護範囲に含まれる。
【００１８】
図２〜図４を組み合わせて参照すると、本発明には、レンズモジュール１００が提供され、当該レンズモジュールは、鏡筒１０と、前記鏡筒１０内に収容されたレンズ群３０と、前記レンズ群３０を前記鏡筒１０内に固定保持する押えリング５０と、前記鏡筒１０の像側に近い端に固定される環状の支持部材７０とを備える。
【００１９】
前記鏡筒１０は、光通過孔１１０が開設された第１筒壁１１及び前記第１筒壁１１から折り曲げられて延びる第２筒壁１２を含む。前記支持部材７０は前記第２筒壁１２の像側に近い端に固定され、前記支持部材７０、前記第２筒壁１２及び前記第１筒壁１１は共に収容空間を取り囲んで形成し、前記収容空間は前記レンズ群３０を収容することに用いられる。前記レンズ群３０は前記第１筒壁１１と前記押えリング５０との間に挟着されている。
【００２０】
前記第２筒壁１２は、光軸００’に近い内側面１２１と、前記内側面１２１から離れて対向する外側面１２２とを含み、前記支持部材７０は、光軸００’に近い内面７１と、前記内面７１から離れて対向する外面７２とを含む。前記支持部材７０の内面７１と光軸００’との間の最小距離は前記第２筒壁１２の内側面１２１と光軸００’との間の最大距離よりも大きい。前記鏡筒１０の像側に近い端は外部の光が鏡筒１０に入射した後に非常に反射し易い部位であるため、本願では、前記支持部材７０の内面７１と光軸００’との間の最小距離を前記第２筒壁１２の内側面１２１と光軸００’との間の最大距離よりも大きくし、即ち前記支持部材７０の厚さを薄くすることにより、迷光が鏡筒に入射して前記支持部材７０に反射することによって結像品質に影響を与えてしますことを効果的に低減させ、レンズ群の内部の迷光の発生を低減させ、結像品質を効果的に向上させる。
【００２１】
前記支持部材７０と前記第２筒壁１２との接続の安定性を確保するために、本実施形態では、前記支持部材７０に貫通する貫通孔７０１が設けられ、前記貫通孔７０１は前記内面７１及び前記外面７２を貫通するように設けられ、前記第２筒壁１２の前記貫通孔７０１に対応する箇所にボス１２０が設けられ、前記ボス１２０は前記貫通孔７０１に嵌合固定される。
【００２２】
具体的に、前記第２筒壁１２は、物体側に近い第１部分１２ａと、前記第１部分１２ａの像側に近い端から光軸００’に近接する方向へ折り曲げられて延びる第２部分１２ｂとを含み、前記ボス１２０は、前記第２部分１２ｂの外側面１２２から、光軸００’から離れる方向に向かって延びる。
【００２３】
前記支持部材７０は、物体側に近く且つ前記第２筒壁１２に当接する第１支持部７０ａと、第１支持部７０ａから、光軸００’から離れる方向へ折り曲げられて延びる第２支持部７０ｂとを含み、前記第２支持部７０ｂの光軸００’に垂直な方向における厚さは前記第１支持部７０ａの光軸００’に垂直な方向における厚さよりも小さい。前記貫通孔７０１は前記第１支持部７０ａを貫通するように設けられ、前記第２部分１２ｂは前記ボス１２０を介して前記第１支持部７０ａに固定接続される。
【００２４】
好ましくは、前記貫通孔７０１は複数が設けられ、複数の前記貫通孔７０１は前記第２筒壁１２を等間隔で取り囲んで設置され、これにより、前記第２筒壁１２はその全周にわたって前記支持部材７０に固定され、前記支持部材７０と前記第２筒壁１２との接続の安定性を向上させる。
【００２５】
前記支持部材７０は金属又はプラスチック材料から製造され、十分な支持強度に達することができる。
【００２６】
前記押えリング５０は前記第２筒壁１２の内側面１２１に当接する。好ましくは、前記押えリング５０は接着剤により前記第２筒壁１２に固定される。
【００２７】
従来技術と比べて、本発明に係るレンズモジュールにおいて、鏡筒の像側に近い端に環状の支持部材が設けられ、前記支持部材の内面と光軸との間の最小距離が第２筒壁の内側面と光軸との間の最大距離よりも大きいことによって、外部の光の前記支持部材への入射を効果的に低減させ、レンズ群の内部の迷光の発生により結像品質に影響を与えてしまうことを効果的に低減させ、結像品質を効果的に向上させる。なお、第２筒壁の第２部分にボス構造が設けられ、支持部材の第１支持部に第１支持部を貫通する貫通孔が設けられ、第２筒壁がボスを介して支持部材に嵌合固定され、且つ一体の構造に射出成形されることにより、鏡筒のレンズ群に対する良好な支持を確保し、確実性が優れている。
【００２８】
以上は本発明の実施形態に過ぎない。当業者であれば、本発明の創造的構想から逸脱しない限り、改良を行うことができるが、これらの改良はいずれも本発明の保護範囲に含まれるとここで指摘すべきである。
【要約】
【課題】本発明には、レンズモジュールが提供される。
【解決手段】レンズモジュールは、収容空間を有する鏡筒と、収容空間内に収容されたレンズ群とを備え、鏡筒は光通過孔が開設された第１筒壁及び第１筒壁の外側から折り曲げられて延びる第２筒壁を含み、レンズモジュールは第２筒壁の像側に近い端に固定される環状の支持部材をさらに備え、支持部材、第２筒壁及び第１筒壁はと共に収容空間を取り囲んで形成し、第２筒壁は光軸に近い内側面を含み、支持部材は光軸に近い内面を含み、支持部材の内面と光軸との間の最小距離は第２筒壁の内側面と光軸との間の最大距離よりも大きく、支持部材に支持部材を貫通する貫通孔がさらに設けられ、第２筒壁の貫通孔に対応する箇所にボスが設けられ、ボスは貫通孔に嵌合固定される。従来技術と比べて、本発明のレンズモジュールは結像品質が良好である。
【選択図】図２【図１】
0006814525.tif 000002
【図２】
0006814525.tif 000003
【図３】
0006814525.tif 000004
【図４】
0006814525.tif 000005